(57)【特許請求の範囲】
【請求項１】
ステープルが装填されるマガジンと、
前記マガジンに装填されたステープルを、前記マガジンのマガジン前壁方向に押圧するプッシャと、
前記プッシャを、前記マガジン前壁方向に付勢するプッシャバネと、
前記プッシャの移動をガイドするプッシャガイドと、
前記マガジンに装填されたステープルを１本に分離して打ち出すドライバと、
前記ドライバが設けられた上ハンドルと、
用紙を貫通したステープルの針足を折り曲げるクリンチャが設けられると共に、前記マガジン及び前記上ハンドルが回転可能に支持される下ハンドルとを備え、
前記プッシャガイドは、前記マガジン前壁と対向して設けられ、前記ドライバで１本に分離されたステープルを、前記マガジン前壁に押圧するステープルガイド部と、前記ステープルガイド部を前記マガジン前壁方向に押圧するバネ部を備え、前記ステープルガイド部と前記バネ部と前記プッシャガイドとが樹脂材料の単一の部品で一体に構成されると共に、前記ステープルガイド部が前記マガジン前壁に対して離接する方向に沿って、前記マガジンに移動可能に取り付けられる
ことを特徴とするステープラ。
【請求項２】
前記プッシャガイドは、前記バネ部の弾性変形で、前記ステープルガイド部を前記マガジン前壁方向に押圧して、前記ドライバで１本に分離されたステープルを、前記マガジン前壁に押圧する
ことを特徴とする請求項１に記載のステープラ。
【請求項３】
前記プッシャガイドは、ステープルの針足を幅方向にガイドする幅ガイド部を、前記ステープルガイド部の左右に備えた
ことを特徴とする請求項１または請求項２に記載のステープラ。
【請求項４】
前記プッシャガイドは、前記プッシャの移動をガイドするガイド部と、前記プッシャバネをガイドするバネガイド部と、前記ステープルガイド部と、前記バネ部とが、単一の部品で一体に構成される
ことを特徴とする請求項１〜請求項３の何れか１項に記載のステープラ。
【発明の詳細な説明】
【技術分野】
【０００１】
本発明は、ステープルを打ち出して用紙を綴じるステープラに関し、特に、低価格で提供されるステープラに関する。
【背景技術】
【０００２】
ステープルを打ち出して用紙を綴じるステープラでは、ステープルを装填するマガジンと、マガジンに装填されたステープルを、マガジン前壁方向に押圧するプッシャと、プッシャを押圧するプッシャバネが設けられている。
【０００３】
従来、低価格で提供されるステープラでは、プッシャのガイドが設けられず、マガジンでプッシャをガイドする構成が知られている（例えば、特許文献１参照）。このようなステープラでは、別部品としてプッシャガイドを設けないことで、部品点数が少なく抑えられている。
【０００４】
一方、高機能を付加したステープラでは、プッシャ及び装填されるステープルのガイドを構成するガイド部材を備えた技術が提案されている（例えば、特許文献２参照）。
【先行技術文献】
【特許文献】
【０００５】
【特許文献１】実公昭３６−１４４０８号公報
【特許文献２】特開２００９−０１２０９３号公報
【発明の概要】
【発明が解決しようとする課題】
【０００６】
近年、１本に分離されたステープルをマガジン前壁方向に押圧するステープルガイドを備え、１本に分離されたステープルの姿勢の変化を抑えられるようにしたステープラも提案されている。
【０００７】
しかし、更なる高機能化を図るために、プッシャガイドに加えて更にステープルガイド、及びステープルガイドを付勢してステープルの姿勢の変化を抑えるバネ等の部品が別部品で必要となり、部品点数が増加しコストアップにつながる。また、組立工数の増加もコストアップにつながる。このため、低価格のステープラに適用することができなかった。
【０００８】
本発明は、このような課題を解決するためになされたもので、１本に分離されたステープルをガイドする機能を付加したステープラを低価格で提供することを目的とする。
【課題を解決するための手段】
【０００９】
上述した課題を解決するため、本発明は、ステープルが装填されるマガジンと、マガジンに装填されたステープルを、マガジンのマガジン前壁方向に押圧するプッシャと、プッシャを、マガジン前壁方向に付勢するプッシャバネと、プッシャの移動をガイドするプッシャガイドと、マガジンに装填されたステープルを１本に分離して打ち出すドライバと、ドライバが設けられた上ハンドルと、用紙を貫通したステープルの針足を折り曲げるクリンチャが設けられると共に、マガジン及び上ハンドルが回転可能に支持される下ハンドルとを備え、プッシャガイドは、マガジン前壁と対向して設けられ、ドライバで１本に分離されたステープルを、マガジン前壁に押圧するステープルガイド部と、ステープルガイド部をマガジン前壁方向に押圧するバネ部を備え、ステープルガイド部とバネ部とプッシャガイドとが樹脂材料の単一の部品で一体に構成されると共に、ステープルガイド部がマガジン前壁に対して離接する方向に沿って、マガジンに移動可能に取り付けられるステープラである。
【００１０】
本発明のステープラでは、ステープルが１本に分離されて打ち出されると、１本に分離されたステープルでステープルガイド部が押され、バネ部を弾性変形させる。これにより、１本に分離されてステープルは、ステープルガイド部でマガジン前壁に押圧され、ステープルの姿勢の変化が抑えられる。
【００１１】
本発明のステープラでは、ステープルガイド部とバネ部がプッシャガイドと一体に構成され、単一の部品で、プッシャをガイドする機能と、ステープルをガイドする機能が持たせられる。
【発明の効果】
【００１２】
本発明のステープラによれば、１本に分離されたステープルをマガジン前壁に押圧するテープルガイド部を備えることで、ステープルの姿勢の変化が抑えられ、確実に用紙を綴じることができる。
【００１３】
このステープルガイド部とバネ部がプッシャガイドと一体に構成されるので、単一の部品で、プッシャをガイドする機能と、ステープルをガイドする機能を持たせることができ、プッシャガイドを備えた構成で、１本に分離されたステープルをガイドする機能を追加しても、部品点数の増加を抑えて、コストダウンを図ることができる。
【００１４】
また、プッシャガイドをマガジンに取り付ける工程で、ステープルガイド部とバネ部が一体に取り付けられるので、組立工数及び組立時間も減少し、コストダウンを図ることができる。これにより、機能を付加したステープラを低価格で提供できる。
【図面の簡単な説明】
【００１５】
【図１】本実施の形態のステープラの一例を示す分解斜視図である。
【図２】本実施の形態のステープラの一例を示す斜視図である。
【図３】本実施の形態のマガジン組立体の一例を示す平面図である。
【図４】本実施の形態のマガジン組立体の一例を示す側面図である。
【図５】本実施の形態のマガジン組立体の一例を示す側断面図である。
【図６】本実施の形態のマガジン組立体の一例を示す正面図である。
【図７】本実施の形態のマガジン組立体の一例を示す背面図である。
【図８】本実施の形態のマガジンの一例を示す平面図である。
【図９】本実施の形態のマガジンの一例を示す側面図である。
【図１０】本実施の形態のマガジンの一例を示す側断面図である。
【図１１】本実施の形態のマガジンの一例を示す正面図である。
【図１２】本実施の形態のマガジンの一例を示す背面図である。
【図１３】本実施の形態のプッシャの一例を示す平面図である。
【図１４】本実施の形態のプッシャの一例を示す側面図である。
【図１５】本実施の形態のプッシャの一例を示す側断面図である。
【図１６】本実施の形態のプッシャの一例を示す正面図である。
【図１７】本実施の形態のプッシャの一例を示す背面図である。
【図１８】第１の実施の形態のプッシャガイドの一例を示す平面図である。
【図１９】第１の実施の形態のプッシャガイドの一例を示す側面図である。
【図２０】第１の実施の形態のプッシャガイドの一例を示す側断面図である。
【図２１】第１の実施の形態のプッシャガイドの一例を示す底面図である。
【図２２】第１の実施の形態のプッシャガイドの一例を示す正面図である。
【図２３】第１の実施の形態のプッシャガイドの一例を示す背面図である。
【図２４】本実施の形態のステープラにおけるステープルの打ち出し動作の一例を示す動作説明図である。
【図２５】第２の実施の形態のプッシャガイドの一例を示す平面図である。
【図２６】第２の実施の形態のプッシャガイドの一例を示す側面図である。
【図２７】第２の実施の形態のプッシャガイドの一例を示す側断面図である。
【図２８】第２の実施の形態のプッシャガイドの一例を示す底面図である。
【図２９】第２の実施の形態のプッシャガイドの一例を示す正面図である。
【図３０】第２の実施の形態のプッシャガイドの一例を示す背面図である。
【発明を実施するための形態】
【００１６】
以下、図面を参照して、本発明のステープラの実施の形態について説明する。
【００１７】
＜本実施の形態のステープラの構成例＞
図１は、本実施の形態のステープラの一例を示す分解斜視図、図２は、本実施の形態のステープラの一例を示す斜視図である。本実施の形態のステープラ１Ａの全体構成について説明すると、ステープラ１Ａは、ステープル１０が装填されるマガジン２Ａを備える。
【００１８】
マガジン２Ａに装填されるステープル１０は、針クラウン１０ａと、針クラウン１０ａの両端から一の方向に略平行となるように折り曲げられて構成される２本の針足１０ｂを備え、複数本のステープル１０が接着で一体とされ、一連のステープル１０として構成される。
【００１９】
ステープラ１Ａは、マガジン２Ａに装填されたステープル１０を、針クラウン１０ａに直交する線幅方向に押圧するプッシャ３Ａと、プッシャ３Ａを付勢するプッシャバネ４を備える。
【００２０】
また、ステープラ１Ａは、プッシャ３Ａの移動をガイドするプッシャガイド５Ａを備える。更に、ステープラ１Ａは、マガジン２Ａに装填されたステープル１０を１本に分離して打ち出すドライバ６と、ドライバ６が設けられた上ハンドル７を備える。
【００２１】
また、ステープラ１Ａは、用紙を貫通したステープル１０の針足１０ｂを折り曲げるクリンチャ８０が設けられると共に、マガジン２Ａ及び上ハンドル７が軸８１により回転可能に支持される下ハンドル８を備える。更に、ステープラ１Ａは、上ハンドル７を開く動作をプッシャ３Ａに伝達して、プッシャ３Ａを退避させるプッシャバンド９を備える。
【００２２】
マガジン２Ａは、軸８１により下ハンドル８に回転可能に取り付けられる。また、上ハンドル７は、軸８１により下ハンドル８及びマガジン２Ａに回転可能に取り付けられる。
【００２３】
ステープラ１Ａは、上ハンドル７にドライバ６が取り付けられ、上ハンドル７と下ハンドル８を握る動作で、マガジン２Ａと下ハンドル８のクリンチャ８０との間に用紙Ｐが挟持されると共に、ドライバ６により１本のステープル１０がマガジン２Ａから打ち出される。
【００２４】
マガジン２Ａから打ち出された１本のステープル１０は、マガジン２Ａと下ハンドル８のクリンチャ８０との間に挟持された用紙Ｐを貫通し、クリンチャ８０により折り曲げられることで、用紙Ｐが綴じられる。
【００２５】
また、ステープラ１Ａは、プッシャ３Ａと上ハンドル７側のドライバ６がプッシャバンド９で連結され、軸８１を支点として上ハンドル７を開く動作で、プッシャバンド９によりプッシャバネ４を引っ張りながらプッシャ３Ａが引かれて退避し、マガジン２Ａに対してステープル１０の装填が可能となる。
【００２６】
ステープラ１Ａは、軸８１を支点として上ハンドル７を閉じる動作で、プッシャバネ４が復元する力によってプッシャ３Ａが押圧され、マガジン２Ａに装填されたステープル１０が押圧される。
【００２７】
上ハンドル７は、板状の金属材料をプレス等の折り曲げ加工によって所定の形状に構成した本体部７０と、樹脂で構成されるカバー７１ａ，７１ｂを備える。上ハンドル７は、本体部７０の下面に、ドライバ６が取り付けられる図示しない固定機構を備える。また、上ハンドル７は、本体部７０の対向する側壁部に、マガジン２Ａに係止される係止凸部７２と、軸８１が係止される軸穴部７３を備える。上ハンドル７は、カバー７１ｂが取り付けられることで、軸穴部７３が覆われる。
【００２８】
下ハンドル８は、板状の金属材料をプレス等の折り曲げ加工によって所定の形状に構成した本体部８２と、樹脂で構成されるカバー８３を備える。下ハンドル８は、本体部８２の先端側にクリンチャ８０を備える。クリンチャ８０は、ステープル１０の針足１０ｂを誘導する溝部を本体部８２と一体に成型して構成される。
【００２９】
また、下ハンドル８は、本体部８２の後端側に一対の側壁部８４を備え、軸８１が挿入される軸穴部８４ａが、対向する側壁部８４を貫通して形成される。また、下ハンドル８は、対向する側壁部８４の内側に、マガジン２Ａに係止される係止凸部８４ｂが突出形成される。
【００３０】
＜本実施の形態のマガジン組立体の構成例＞
図３〜図７は、本実施の形態のステープラを構成するマガジン組立体の一例を示し、次に、各図を参照して、本実施の形態のマガジン組立体１１Ａの概要について説明する。
【００３１】
ここで、図３は、本実施の形態のマガジン組立体の一例を示す平面図、図４は、本実施の形態のマガジン組立体の一例を示す側面図、図５は、本実施の形態のマガジン組立体の一例を示す側断面図である。また、図６は、本実施の形態のマガジン組立体の一例を示す正面図、図７は、本実施の形態のマガジン組立体の一例を示す背面図である。
【００３２】
マガジン組立体１１Ａは、プッシャ３Ａ及びプッシャバネ４がプッシャガイド５Ａに組み付けられ、プッシャ３Ａ及びプッシャバネ４が組み付けられたプッシャガイド５Ａが、マガジン２Ａの内側に取り付けられる。
【００３３】
マガジン組立体１１Ａでは、プッシャ３Ａの移動がプッシャガイド５Ａでガイドされる。また、マガジン２Ａに対してステープル１０を装填あるいは取り出す動作によって、プッシャ３Ａが後退している状態では、装填されるステープル１０がプッシャガイド５Ａでガイドされ、特に、残数の少ないステープル１０の倒れが防止される。更に、ドライバ６で１本に分離されて打ち出されるステープル１０が、プッシャガイド５Ａでガイドされる。
【００３４】
＜本実施の形態のマガジンの構成例＞
図８〜図１２は、本実施の形態のマガジン組立体を構成するマガジンの一例を示し、次に、各図を参照して、本実施の形態のマガジン２Ａについて説明する。
【００３５】
ここで、図８は、本実施の形態のマガジンの一例を示す平面図、図９は、本実施の形態のマガジンの一例を示す側面図、図１０は、本実施の形態のマガジンの一例を示す側断面図である。また、図１１は、本実施の形態のマガジンの一例を示す正面図、図１２は、本実施の形態のマガジンの一例を示す背面図である。
【００３６】
マガジン２Ａは、ステープル１０が載置されるマガジン底面２０ａを備える。また、マガジン２Ａは、ステープル１０の針クラウン１０ａに沿った幅方向の位置を規制するマガジン側壁２０ｂと、ステープル１０の線幅方向に沿った前後方向の位置を規制するマガジン前壁２０ｃを備える。更に、マガジン２Ａは、ステープル１０の針足１０ｂに沿った上下方向の位置を規制するステープルカバー２０ｄを備える。
【００３７】
マガジン２Ａは、板状の金属材料がプレス等の形抜き及び折り曲げ加工によって折り曲げられることで所定の形状に構成され、ステープル１０が装填可能で上面が開口した空間が設けられる。すなわち、マガジン２Ａは、マガジン底面２０ａの両側部が一の方向である上方に向けて折り曲げられることで、マガジン底面２０ａの両側部から立設される形態で一対のマガジン側壁２０ｂが構成される。
【００３８】
マガジン２Ａは、対向するマガジン側壁２０ｂの内幅が、ステープル１０が挿入可能な程度で、ステープル１０の針クラウン１０ａの外幅と略同等に構成され、対向するマガジン側壁２０ｂの間にステープル１０が装填可能で、かつ、装填されたステープル１０の幅方向の位置が規制される。
【００３９】
また、マガジン２Ａは、それぞれのマガジン側壁２０ｂの先端側の上端部が内側に向けて折り曲げられることで、マガジン側壁２０ｂから内側に突出する形態でステープルカバー２０ｄが構成される。
【００４０】
マガジン２Ａは、対向するステープルカバー２０ｄの内幅が、ステープル１０の針クラウン１０ａの外幅より狭く構成される。また、マガジン２Ａは、マガジン底面２０ａとステープルカバー２０ｄとの間の間隔が、ステープル１０が挿入可能な程度で、ステープル１０の針足１０ｂの長さと略同等に構成される。
【００４１】
更に、ステープルカバー２０ｄの長さは、連結された一連のステープル１０より長く構成される。マガジン２Ａは、プッシャバネ４を引っ張ってプッシャ３Ａを最後退位置近傍まで退避させた状態で、２連分のステープル１０が装填可能となるように、プッシャ３Ａの大きさ、マガジン２Ａの長さ等が設定されている。このため、マガジン２Ａに２連のステープル１０が装填されると、１連目のステープル１０の針クラウン１０ａの幅方向の両端が全長に亘り規制されると共に、２連目のステープル１０の先端側の一部が規制される。
【００４２】
これにより、マガジン２Ａでは、マガジン底面２０ａとステープルカバー２０ｄとの間にステープル１０が装填可能で、装填されたステープル１０の上下方向の移動が規制され、かつ、対向するステープルカバー２０ｄの間からステープル１０が外れることが防止される。また、２連分のステープル１０が装填されても、別のカバーを設けることなく、装填されたステープル１０の上下方向の移動が規制される。
【００４３】
更に、マガジン２Ａは、それぞれのマガジン側壁２０ｂの先端側が内側に向けて折り曲げられることで、対向するマガジン側壁２０ｂの先端を塞ぐ形態でマガジン前壁２０ｃが構成される。また、マガジン２Ａは、マガジン底面２０ａの先端側でマガジン前壁２０ｃの下部に、１本に分離されたステープル１０が通る寸法で開口部２０ｅが設けられる。
【００４４】
これにより、マガジン２Ａでは、ステープル１０の線幅方向に沿った先端がマガジン前壁２０ｃに押圧されることで、ステープル１０の前後方向の位置が規制され、最先端の１本のステープル１０の位置が規制される。
【００４５】
マガジン２Ａは、上ハンドル７を閉位置で保持する係止凸部２１を備える。係止凸部２１は、対向するマガジン側壁２０ｂから外側に向けて突出し、上ハンドル７の係止凸部７２が係止される。
【００４６】
また、マガジン２Ａは、下ハンドル８を閉位置で保持する係止凹部２２を備える。係止凹部２２は、対向するマガジン側壁２０ｂに開口を設けて構成され、下ハンドル８の係止凸部８４ｂが係止される。
【００４７】
更に、マガジン２Ａは、上ハンドル７を係止凸部２１に係止する動作で上ハンドル７に掛かる荷重を調整する開口部２３を備える。開口部２３は、マガジン側壁２０ｂの係止凸部２１が設けられる部位が、所望の荷重で変形するように、対向するマガジン側壁２０ｂに開口を設けて構成される。
【００４８】
マガジン２Ａは、ステープル１０の装填の有無及び残数の目安を確認可能とする確認窓部２４を備える。確認窓部２４は、マガジン２Ａに装填されたステープル１０が見えるように、対向するマガジン側壁２０ｂの先端側に、本例では長穴形状の開口を設けて構成される。
【００４９】
マガジン２Ａは、軸８１が挿入される穴部２５を備える。穴部２５は、対向するマガジン側壁２０ｂの後端側に、軸８１の径に合わせた円形の貫通穴を設けて構成される。
【００５０】
マガジン２Ａは、プッシャガイド５Ａを移動可能に支持する第１の支持部２６ａと第２の支持部２６ｂを備える。第１の支持部２６ａは、マガジン２Ａの先端側において、マガジン底面２０ａからマガジン２Ａの内側に突出し、かつ、マガジン２Ａの後方に向けて突出する突起が、マガジン底面２０ａと突起との間に所定の隙間が形成される形状で設けられ、本例では、マガジン底面２０ａを構成する板材の一部が曲げ起こされて一体に構成される。
【００５１】
第２の支持部２６ｂは、マガジン２Ａの後端側において、マガジン底面２０ａからマガジン２Ａの内側に突出し、かつ、マガジン２Ａの後方に向けて突出する突起が、マガジン底面２０ａと突起との間に所定の隙間が形成される形状で設けられ、本例では、マガジン底面２０ａを構成する板材の一部が曲げ起こされて一体に構成される。
【００５２】
マガジン２Ａは、プッシャガイド５Ａを固定する支持穴部２７を備える。支持穴部２７は、第２の支持部２６ｂよりマガジン２Ａの後端側において、マガジン底面２０ａに所定形状の穴部を設けて構成される。
【００５３】
＜本実施の形態のプッシャの構成例＞
図１３〜図１７は、本実施の形態のマガジン組立体を構成するプッシャの一例を示し、次に、各図を参照して、本実施の形態のプッシャ３Ａについて説明する。
【００５４】
ここで、図１３は、本実施の形態のプッシャの一例を示す平面図、図１４は、本実施の形態のプッシャの一例を示す側面図、図１５は、本実施の形態のプッシャの一例を示す側断面図である。また、図１６は、本実施の形態のプッシャの一例を示す正面図、図１７は、本実施の形態のプッシャの一例を示す背面図である。
【００５５】
プッシャ３Ａは、ステープル１０を押圧する押圧部３０ａと、プッシャバネ４が係止されるプッシャバネ係止部３０ｂと、プッシャガイド５Ａにガイドされるガイド溝３１を備える。
【００５６】
また、プッシャ３Ａは、プッシャバンド９が係止されるバンド係止部３２と、バンド係止部３２に係止されたプッシャバンド９がプッシャ３Ａから外れることを防止するバンド抜け止め部３３を備える。
【００５７】
押圧部３０ａは、プッシャ３Ａの先端側の左右両側から前方に突出する形状で構成され、ステープル１０の２本の針足１０ｂを押圧する。プッシャバネ係止部３０ｂは、プッシャ３Ａの一方の側面の内側に、プッシャバネ４の一方の端部が掛けられる突起を設けて構成される。ガイド溝３１は、プッシャガイド５Ａを覆うプッシャ３Ａの左右の側面の内側に、プッシャ３Ａの移動方向に沿った凹状の溝を設けて構成される。
【００５８】
バンド係止部３２は、プッシャ３Ａの上面に突出し、プッシャバンド９の第１の係止穴部９０が挿入される係止凸部３２ａと、係止凸部３２ａの上端から前方に突出し、プッシャバンド９の第１の係止穴部９０が係止凸部３２ａから外れることを防止する抜け止め防止凸部３２ｂを備える。
【００５９】
バンド抜け止め部３３は、バンド係止部３２より前方でプッシャ３Ａの上面に突出し、プッシャバンド９が突き当てられる突き当て凸部３３ａと、突き当て凸部３３ａの上端から後方に突出し、プッシャバンド９の先端が突き当て凸部３３ａから外れることを防止する抜け止め防止凸部３３ｂを備える。
【００６０】
＜第１の実施の形態のプッシャガイドの構成例＞
図１８〜図２３は、本実施の形態のマガジン組立体を構成するプッシャガイドの一例を示し、次に、各図を参照して、第１の実施の形態のプッシャガイド５Ａについて説明する。
【００６１】
ここで、図１８は、第１の実施の形態のプッシャガイドの一例を示す平面図、図１９は、第１の実施の形態のプッシャガイドの一例を示す側面図、図２０は、第１の実施の形態のプッシャガイドの一例を示す側断面図である。
【００６２】
また、図２１は、第１の実施の形態のプッシャガイドの一例を示す底面図、図２２は、第１の実施の形態のプッシャガイドの一例を示す正面図、図２３は、第１の実施の形態のプッシャガイドの一例を示す背面図である。
【００６３】
プッシャガイド５Ａは、プラスチック等の樹脂材料で構成され、マガジン２Ａの長手方向に沿って延在する。プッシャガイド５Ａは、マガジン２Ａに対して長手方向に沿った前後方向に移動可能な可動部５０と、マガジン２Ａに対して固定される固定部５１を備える。
【００６４】
また、プッシャガイド５Ａは、プッシャ３Ａをガイドするガイド凸部５０ａを備える。ガイド凸部５０ａはガイド部の一例で、プッシャガイド５Ａの可動部５０の左右の側部から外側に向けて突出し、プッシャ３Ａのガイド溝３１が移動可能に嵌まる凸部が、プッシャガイド５Ａの長手方向に沿って一体に設けられる。
【００６５】
プッシャガイド５Ａは、左右のガイド凸部５０ａの幅が、ステープル１０の針クラウン１０ａの内幅より狭く構成され、ガイド凸部５０ａとマガジン側壁２０ｂとの間に、ステープル１０の針足１０ｂが挿入可能な空間が設けられる。
【００６６】
プッシャガイド５Ａは、ドライバ６で１本に分離されたステープル１０を、マガジン前壁２０ｃに押圧するステープルガイド部５２を備える。ステープルガイド部５２は、ステープル１０の針クラウン１０ａの内幅より若干短い幅を有し、マガジン２Ａのマガジン前壁２０ｃと対向して、プッシャガイド５Ａの可動部５０の前端部に一体に設けられる。ステープルガイド部５２は、マガジン前壁２０ｃとの間隔が、ステープル１０の打ち出し方向に沿って開口部２０ｅ側が狭くなる方向に傾斜する。
【００６７】
プッシャガイド５Ａは、ステープル１０の針足１０ｂを幅方向にガイドする幅ガイド部５２ａを備える。幅ガイド部５２ａは、ステープルガイド部５２の左右両側の下端に設けられる。幅ガイド部５２ａは、ステープルガイド部５２から左右に突出し、左右一対の幅ガイド部５２ａの外寸が、ステープル１０の針クラウン１０ａの内寸と略同じ幅あるいは若干広い幅で構成される。
【００６８】
プッシャガイド５Ａは、マガジン２Ａに対する移動を規制する軸当て部５１ａを備える。軸当て部５１ａは、プッシャガイド５Ａの後端側の固定部５１に、マガジン２Ａの穴部２５に挿入された軸８１と当接する段差を設けて構成される。
【００６９】
プッシャガイド５Ａは、ステープルガイド部５２をマガジン前壁２０ｃ方向に押圧するバネ部５３を備える。バネ部５３は、プッシャガイド５Ａの後端側で可動部５０と固定部５１の間に、樹脂材料で構成されるプッシャガイド５Ａの一部が長手方向に沿って弾性変形し得る形状を設けて構成される。
【００７０】
プッシャガイド５Ａは、マガジン２Ａに可動部５０を移動可能に係止する第１の係止部５０ｂ及び第２の係止部５０ｃを備える。第１の係止部５０ｂは、マガジン底面２０ａに設けられた第１の支持部２６ａに係止される突起を、プッシャガイド５Ａの可動部５０の前端側の底面に設けて構成される。また、第２の係止部５０ｃは、マガジン底面２０ａに設けられた第２の支持部２６ｂに係止される突起を、バネ部５３より前方でプッシャガイド５Ａの可動部５０の後端側の底面に設けて構成される。
【００７１】
プッシャガイド５Ａは、第１の係止部５０ｂと第２の係止部５０ｃが、プッシャガイド５Ａの前方に向けて突出する形状で設けられる。プッシャガイド５Ａは、第１の係止部５０ｂが第１の支持部２６ａに係止され、第２の係止部５０ｃが第２の支持部２６ｂに係止されることで、マガジン２Ａに対して可動部５０が長手方向に沿った前後方向に移動可能な状態で取り付けられる。
【００７２】
プッシャガイド５Ａは、マガジン２Ａに固定部５１を固定する係止凸部５１ｂを備える。係止凸部５１ｂは、マガジン底面２０ａに設けられた支持穴部２７に挿入される突起を、バネ部５３より後方でプッシャガイド５Ａの後端側の固定部５１の底面に設けて構成される。
【００７３】
プッシャガイド５Ａは、プッシャバネ４が係止されるプッシャバネ係止部５４ａと、プッシャバネ４をガイドするプッシャバネガイド部５４ｂを備える。プッシャバネ係止部５４ａは、プッシャガイド５Ａの後端側の固定部５１の一方の側面に、プッシャバネ４の他方の端部が掛けられる突起を設けて構成される。プッシャバネガイド部５４ｂはバネガイド部の一例で、プッシャガイド５Ａの可動部５０の底面側に、可動部５０の先端側でプッシャバネ４をＵ状に折り返す凸部を設けて構成される。
【００７４】
マガジン組立体１１Ａでは、プッシャガイド５Ａの可動部５０の第１の係止部５０ｂが、マガジン２Ａの第１の支持部２６ａに係止され、第２の係止部５０ｃが、第２の支持部２６ｂに係止される。また、プッシャガイド５Ａの固定部５１の係止凸部５１ｂが、マガジン２Ａの支持穴部２７に挿入される。
【００７５】
そして、マガジン２Ａの穴部２５に軸８１が挿入されると、プッシャガイド５Ａの固定部５１の軸当て部５１ａが軸８１に当たる。これにより、プッシャガイド５Ａの固定部５１は、マガジン２Ａに対して軸当て部５１ａで上下回転、係止凸部５１ｂで前後左右への移動が規制され、マガジン２Ａに固定される。
【００７６】
プッシャガイド５Ａは、マガジン２Ａの穴部２５に挿入された軸８１と軸当て部５１ａが当接する状態で、ステープルガイド部５２の下端がマガジン前壁２０ｃと接する。
【００７７】
また、プッシャガイド５Ａは、マガジン２Ａの穴部２５に挿入された軸８１と軸当て部５１ａが当接する状態では、バネ部５３の変形で可動部５０が前後方向に移動しても、第１の係止部５０ｂがマガジン２Ａの第１の支持部２６ａから外れることはない。同様に、第２の係止部５０ｃがマガジン２Ａの第２の支持部２６ｂから外れることはない。
【００７８】
＜本実施の形態のドライバの構成例＞
次に、各図を参照して、本実施の形態のドライバ６について説明する。ドライバ６は、ステープル１０を打ち出すドライバ部６０と、上ハンドル７に対してマガジン２Ａを復元させるマガジンリターンバネ６１ａと、上ハンドル７及びマガジン２Ａに対して下ハンドル８を復元させる下ハンドルリターンバネ６１ｂを備える。
【００７９】
また、ドライバ６は、プッシャバンド９が係止されるバンド係止部６２と、バンド係止部６２に係止されたプッシャバンド９がドライバ６から外れることを防止するバンド抜け止め部６３を備える。
【００８０】
ドライバ６は、上ハンドル７の下面に取り付けられ、ドライバ部６０が上ハンドル７の先端側から下方に突出する。ドライバ部６０は、ステープル１０の針クラウン１０ａの外幅と略同等の幅を有すると共に、ステープル１０の線幅と略同等の板厚を有し、マガジン２Ａの対向するマガジン側壁２０ｂの間に、マガジン前壁２０ｃに沿って挿入される。
【００８１】
ドライバ６は、マガジンリターンバネ６１ａと下ハンドルリターンバネ６１ｂが、上ハンドル７の後端側から下方に突出する。マガジンリターンバネ６１ａは、上ハンドル７を閉じた状態でマガジン２Ａの一方のマガジン側壁２０ｂに接触し、上ハンドル７と下ハンドル８を握る動作で押圧される。また、下ハンドルリターンバネ６１ｂは、下ハンドル８を閉じた状態で下ハンドル８の一方の側壁部８４と接触し、上ハンドル７と下ハンドル８を握る動作で押圧される。
【００８２】
バンド係止部６２は、ドライバ６を貫通する穴部６４に突出し、プッシャバンド９の第２の係止穴部９１が挿入される。バンド抜け止め部６３は、穴部６４の他の辺で構成され、バンド係止部６２より前方でドライバ６の面から突出する。
【００８３】
＜本実施の形態のマガジン組立体の組立工程例＞
次に、各図を参照して、本実施の形態のマガジン組立体１１Ａの組立工程について説明する。
【００８４】
まず、プッシャガイド５Ａにプッシャ３Ａが取り付けられる。プッシャ３Ａは、ガイド溝３１がプッシャガイド５Ａのガイド凸部５０ａに嵌められることで、プッシャガイド５Ａに沿って移動可能に取り付けられる。
【００８５】
次に、プッシャガイド５Ａとプッシャ３Ａにプッシャバネ４が取り付けられる。プッシャバネ４は、一方の端部がプッシャ３Ａのプッシャバネ係止部３０ｂに掛けられる。また、プッシャバネ４は、プッシャガイド５Ａのプッシャバネガイド部５４ｂでＵ状に折り返され、他方の端部がプッシャガイド５Ａのプッシャバネ係止部５４ａに掛けられる。
【００８６】
プッシャ３Ａ及びプッシャバネ４が取り付けられたプッシャガイド５Ａは、マガジン２Ａに取り付けられる。プッシャガイド５Ａは、マガジン２Ａの後端側から入れられ、プッシャガイド５Ａの可動部５０の第１の係止部５０ｂが、マガジン２Ａの第１の支持部２６ａに係止され、第２の係止部５０ｃが、第２の支持部２６ｂに係止される。また、プッシャガイド５Ａの固定部５１の係止凸部５１ｂが、マガジン２Ａの支持穴部２７に挿入される。
【００８７】
上述したように組み立てられたマガジン組立体１１Ａは、下ハンドル８の軸穴部８４ａとマガジン２Ａの穴部２５、及び上ハンドル７の軸穴部７３の位置が合わせられ、各穴部を通して軸８１が圧入される。
【００８８】
マガジン２Ａの穴部２５に軸８１が挿入されると、プッシャガイド５Ａの固定部５１の軸当て部５１ａが軸８１に当たる。これにより、プッシャガイド５Ａは、固定部５１が前後方向への移動が規制されて、マガジン２Ａに固定される。
【００８９】
プッシャガイド５Ａは、ステープルガイド部５２が設けられた可動部５０が、バネ部５３を伸縮させることで前後に移動する。そして、プッシャガイド５Ａは、マガジン２Ａの穴部２５に挿入された軸８１と軸当て部５１ａが当接する状態で、ステープルガイド部５２の下端がマガジン前壁２０ｃと接し、バネ部５３が圧縮されて、ステープルガイド部５２がマガジン前壁２０ｃに押圧される。
【００９０】
＜本実施の形態のステープラの動作例＞
図２４は、本実施の形態のステープラにおけるステープルの打ち出し動作の一例を示す動作説明図であり、次に、各図を参照して、本実施の形態のステープラ１Ａの動作について説明する。
【００９１】
ステープラ１Ａは、マガジン２Ａと下ハンドル８のクリンチャ８０の間に用紙Ｐが入れられ、上ハンドル７と下ハンドル８を握る動作で、マガジン２Ａとクリンチャ８０の間に用紙Ｐが挟持される。マガジン２Ａとクリンチャ８０の間に用紙Ｐが挟持された状態で、更に上ハンドル７と下ハンドル８が握られると、ドライバ６のドライバ部６０がマガジン２Ａのマガジン前壁２０ｃに沿って下降し、ドライバ部６０でステープル１０が押圧される。
【００９２】
マガジン２Ａに装填されたステープル１０がドライバ部６０で押圧されると、ステープル１０の先頭の１本は、マガジン２Ａの開口部２０ｅ上に位置し、２本目以降はマガジン底面２０ａ上に載置された状態であるので、１本目のステープル１０にせん断力が加わり分離する。
【００９３】
ドライバ部６０で押圧されて１本に分離されたステープル１０は、図２４（ａ）に示すように、マガジン前壁２０ｃとステープルガイド部５２との間に入る。プッシャガイド５Ａは、ステープルガイド部５２が設けられた可動部５０が、バネ部５３によって前方に押圧されており、ステープル１０を打ち出している行程以外では、ステープルガイド部５２の下端がマガジン前壁２０ｃに接している。
【００９４】
これにより、ドライバ部６０で押圧される１本に分離されたステープル１０は、針クラウン１０ａでステープルガイド部５２を押し、バネ部５３を縮める方向に弾性変形させて、図２４（ｂ）に示すように、プッシャガイド５Ａの可動部５０を矢印Ｒ方向に後退させる。
【００９５】
プッシャガイド５Ａの可動部５０を後退させることで、ステープルガイド部５２とマガジン前壁２０ｃとの間に入るステープル１０は、バネ部５３によって、針クラウン１０ａがステープルガイド部５２でマガジン前壁２０ｃに押圧され、ステープルガイド部５２とマガジン前壁２０ｃとの間に、１本に分離されたステープル１０の針クラウン１０ａが前後に動ける隙間は生じない。
【００９６】
これにより、ステープル１０の針足１０ｂの先端が、用紙Ｐに着地して貫通を始める前に、ステープル１０の姿勢が変化して、針足１０ｂの先端がクリンチャ８０から外れる方向に流れる動きを抑えることができる。
【００９７】
また、ドライバ部６０により打ち出される１本に分離されたステープル１０には、針クラウン１０ａが押し上げられる方向の力が加えられ、ドライバ部６０の押圧によって、針クラウン１０ａの中央付近が下方に向けて撓むような変形を防止することができる。
【００９８】
針クラウン１０ａがステープルガイド部５２でガイドされる区間にあるステープル１０は、２本の針足１０ｂの間隔が、幅ガイド部５２ａでガイドされることで、左右方向のガイドを幅ガイド部５２ａで行うことができ、針足１０ｂが内側に向けて撓むような変形を防ぐことができる。これにより、２本の針足１０ｂの間隔が変化して、針足１０ｂの先端がクリンチャ８０から外れる方向に流れる動きを抑えることができる。
【００９９】
ドライバ部６０で押圧されるステープル１０は、図２４（ｃ）に示すように、プッシャガイド５Ａの可動部５０を更に後退させて、針クラウン１０ａがステープルガイド部５２を通過する。
【０１００】
針クラウン１０ａがステープルガイド部５２を通過する段階で、ステープル１０は、針足１０ｂが用紙Ｐを貫通するので、幅ガイド部５２ａでの幅方向のガイドが無くても、ステープル１０の姿勢が変化することを防止できる。
【０１０１】
用紙Ｐを貫通したステープル１０は、針足１０ｂがクリンチャ８０で曲げられて、用紙Ｐが綴じられる。
【０１０２】
＜本実施のステープラの作用効果例＞
本実施の形態のステープラ１Ａでは、プッシャガイド５Ａは、ステープルガイド部５２とバネ部５３が一体に構成される。これにより、単一の部品で、プッシャ３Ａをガイドする機能と、ステープル１０をガイドする機能を持たせることができ、コストダウンを図ることができる。また、上述したようにステープル１０をガイドする機能を持つことで、ステープル１０の針足１０ｂがクリンチャ８０から外れることが防止され、ステープル１０で確実に用紙を綴じることができる。
【０１０３】
更に、プッシャガイド５Ａをマガジン２Ａに取り付ける工程で、ステープルガイド部５２及びバネ部５３が一体で取り付けられることになるので、組立工数、組立時間も減少し、コストダウンを図ることができる。
【０１０４】
ステープラ１Ａは、軸８１を支点として上ハンドル７を開く動作で、プッシャバンド９によりプッシャ３Ａが引かれて退避し、プッシャ３Ａとマガジン前壁２０ｃとの間に、ステープル１０が装填可能な空間が形成される。
【０１０５】
プッシャバネ４は、プッシャガイド５Ａのプッシャバネガイド部５４ｂでガイドされることで、マガジン２Ａ内のステープル１０が装填される空間には、プッシャバネ４は露出しない。
【０１０６】
これにより、マガジン２Ａに対してステープル１０を装填あるいは取り出す動作で、ステープル１０の針足１０ｂが、プッシャガイド５Ａとマガジン側壁２０ｂとの間の空間でガイドされ、ステープル１０がプッシャバネ４に引っ掛かることが防止される。
【０１０７】
また、プッシャガイド５Ａは、第１の係止部５０ｂがマガジン２Ａの第１の支持部２６ａに係止され、第２の係止部５０ｃが第２の支持部２６ｂに係止される。これにより、上ハンドル７を開く動作でプッシャ３Ａを退避させることで、プッシャガイド５Ａが持ち上げられる方向の力が掛かっても、プッシャガイド５Ａがマガジン２Ａから外れることが防止されると共に、プッシャガイド５Ａが大きく変形することが防止される。
【０１０８】
一般的に、針足の短いステープルが装填される小型のステープラでは、マガジンの底面でステープルを支持して、ステープルにせん断力が与えられる構成であり、マガジンにステープルのガイドを設ける構成でも、ガイドに強度が要求されない。一方、針足の長いステープルと針足の短いステープルの両方を装填可能としたような中型以上のステープラでは、ステープルの針クラウンをガイドで支持している構成が多い。このため、ガイドに強度が要求される。
【０１０９】
本実施の形態のステープラ１Ａでは、ステープル１０はマガジン底面２０ａで支持される構成で、ドライバ６による打ち出しで、ステープル１０を１本に分離するせん断力が加わっても、プッシャガイド５Ａには強い力が掛からない。このため、プッシャガイド５Ａは、プラスチック等の樹脂材料で、ステープルガイド部５２及びバネ部５３等を一体に成型することが可能である。
【０１１０】
＜第２の実施の形態のプッシャガイドの構成例＞
図２５〜図３０は、本実施の形態のマガジン組立体を構成するプッシャガイドの他の例を示し、次に、各図を参照して、第２の実施の形態のプッシャガイド５Ｂについて説明する。
【０１１１】
ここで、図２５は、第２の実施の形態のプッシャガイドの一例を示す平面図、図２６は、第２の実施の形態のプッシャガイドの一例を示す側面図、図２７は、第２の実施の形態のプッシャガイドの一例を示す側断面図である。
【０１１２】
また、図２８は、第２の実施の形態のプッシャガイドの一例を示す底面図、図２９は、第２の実施の形態のプッシャガイドの一例を示す正面図、図３０は、第２の実施の形態のプッシャガイドの一例を示す背面図である。
【０１１３】
上述した第１の実施の形態のプッシャガイド５Ａでは、バネ部５３を長手方向の後端側に設ける構成としたが、第２の実施の形態のプッシャガイド５Ｂでは、バネ部を前端側に設ける構成としたものである。
【０１１４】
すなわち、プッシャガイド５Ｂは、プラスチック等の樹脂材料で構成され、図１０等に示すマガジン２Ａの長手方向に沿って延在する。プッシャガイド５Ｂは、マガジン２Ａに対して長手方向に沿った前後方向に移動可能な可動部５５と、マガジン２Ｂに対して固定される固定部５６を備える。
【０１１５】
また、プッシャガイド５Ｂは、図１５等に示すプッシャ３Ａをガイドするガイド凸部５６ａを備える。ガイド凸部５６ａはガイド部の一例で、プッシャガイド５Ｂの固定部５６の左右の側部から外側に向けて突出し、プッシャ３Ａのガイド溝３１が移動可能に嵌まる凸部が、プッシャガイド５Ｂの長手方向に沿って一体に設けられる。
【０１１６】
プッシャガイド５Ｂは、左右のガイド凸部５６ａの幅が、図１に示すステープル１０の針クラウン１０ａの内幅より狭く構成され、ガイド凸部５６ａとマガジン側壁２０ｂとの間に、ステープル１０の針足１０ｂが挿入可能な空間が設けられる。
【０１１７】
プッシャガイド５Ｂは、図１に示すドライバ６で１本に分離されたステープル１０を、マガジン前壁２０ｃに押圧するステープルガイド部５７を備える。ステープルガイド部５７は、ステープル１０の針クラウン１０ａの内幅より若干短い幅を有し、マガジン２Ａのマガジン前壁２０ｃと対向して、プッシャガイド５Ｂの可動部５５の前端部に一体に設けられる。ステープルガイド部５７は、マガジン前壁２０ｃとの間隔が、ステープル１０の打ち出し方向に沿って開口部２０ｅ側が狭くなる方向に傾斜する。
【０１１８】
プッシャガイド５Ｂは、ステープル１０の針足１０ｂを幅方向にガイドする幅ガイド部５７ａを備える。幅ガイド部５７ａは、ステープルガイド部５７の左右両側の下端に設けられる。幅ガイド部５７ａは、ステープルガイド部５７から左右に突出し、左右一対の幅ガイド部５７ａの外寸が、ステープル１０の針クラウン１０ａの内寸と略同じ幅あるいは若干広い幅で構成される。
【０１１９】
プッシャガイド５Ｂは、マガジン２Ａに対する移動を規制する軸当て部５６ｂを備える。軸当て部５６ｂは、プッシャガイド５Ｂの後端側の固定部５６に、マガジン２Ａの穴部２５に挿入された軸８１と当接する段差を設けて構成される。
【０１２０】
プッシャガイド５Ｂは、ステープルガイド部５７をマガジン前壁２０ｃ方向に押圧するバネ部５８を備える。バネ部５８は、プッシャガイド５Ｂの前端側で可動部５５と固定部５６の間に、樹脂材料で構成されるプッシャガイド５Ｂの一部が長手方向に沿って弾性変形し得る形状を設けて構成される。
【０１２１】
プッシャガイド５Ｂは、マガジン２Ａに固定部５６を係止する第１の係止部５６ｃ及び第２の係止部５６ｄｃを備える。第１の係止部５６ｃは、マガジン底面２０ａに設けられた第１の支持部２６ａに係止される突起を、バネ部５８より後方でプッシャガイド５Ｂの固定部５６の前端側の底面に設けて構成される。また、第２の係止部５６ｄは、マガジン底面２０ａに設けられた第２の支持部２６ｂに係止される突起を、プッシャガイド５Ｂの固定部５６の後端側の底面に設けて構成される。
【０１２２】
プッシャガイド５Ｂは、マガジン２Ａに固定部５６を固定する係止凸部５６ｅを備える。係止凸部５６ｅは、マガジン底面２０ａに設けられた支持穴部２７に挿入される突起を、プッシャガイド５Ｂの後端側の固定部５６の底面に設けて構成される。
【０１２３】
プッシャガイド５Ｂは、プッシャバネ４が係止されるプッシャバネ係止部５９ａと、プッシャバネ４をガイドするプッシャバネガイド部５９ｂを備える。プッシャバネ係止部５９ａは、プッシャガイド５Ｂの後端側の固定部５６の一方の側面に、プッシャバネ４の他方の端部が掛けられる突起を設けて構成される。プッシャバネガイド部５９ｂはバネガイド部の一例で、プッシャガイド５Ｂの固定部５６の底面側に、固定部５６の先端側でプッシャバネ４をＵ状に折り返す凸部を設けて構成される。
【０１２４】
第２の実施の形態のプッシャガイド５Ｂでも、ステープルガイド部５７とバネ部５８が一体に構成される。これにより、単一の部品で、プッシャ３Ａをガイドする機能と、ステープル１０をガイドする機能を持たせることができ、コストダウンを図ることができる。また、ステープル１０をガイドする機能を持つことで、ステープル１０で確実に用紙を綴じることができる。
【０１２５】
更に、プッシャガイド５Ｂをマガジン２Ａに取り付ける工程で、ステープルガイド部５７及びバネ部５８が一体で取り付けられることになるので、組立工数、組立時間も減少し、コストダウンを図ることができる。
【産業上の利用可能性】
【０１２６】
本発明は、低価格で提供されるステープラに適用される。
【符号の説明】
【０１２７】
１Ａ・・・ステープラ、１０・・・ステープル、１０ａ・・・針クラウン、１０ｂ・・・針足、１１Ａ・・・マガジン組立体、２Ａ・・・マガジン、２０ａ・・・マガジン底面、２０ｂ・・・マガジン側壁、２０ｃ・・・マガジン前壁、２０ｅ・・・開口部、２５・・・穴部、２６ａ・・・第１の支持部、２６ｂ・・・第２の支持部、２７・・・支持穴部、３Ａ・・・プッシャ、３１・・・ガイド溝、４・・・プッシャバネ、５Ａ，５Ｂ・・・プッシャガイド、５０・・・可動部、５０ａ・・・ガイド凸部、５０ｂ・・・第１の係止部、５０ｃ・・・第２の係止部、５１・・・固定部、５１ａ・・・軸当て部、５１ｂ・・・係止凸部、５２・・・ステープルガイド部、５２ａ・・・幅ガイド部、５３・・・バネ部、５４ａ・・・プッシャバネ係止部、５４ｂ・・・プッシャバネガイド部、５５・・・可動部、５６・・・固定部、５６ａ・・・ガイド凸部、５６ｂ・・・軸当て部、５６ｃ・・・第１の係止部、５６ｄ・・・第２の係止部、５６ｅ・・・係止凸部、５７・・・ステープルガイド部、５７ａ・・・幅ガイド部、５８・・・バネ部、５９ａ・・・プッシャバネ係止部、５９ｂ・・・プッシャバネガイド部、６・・・ドライバ、６０・・・ドライバ部、７・・・上ハンドル、８・・・下ハンドル、８０・・・クリンチャ、８１・・・軸、９・・・プッシャバンド
【図１】
0005870715.tif 000002
【図２】
0005870715.tif 000003
【図３】
0005870715.tif 000004
【図４】
0005870715.tif 000005
【図５】
0005870715.tif 000006
【図６】
0005870715.tif 000007
【図７】
0005870715.tif 000008
【図８】
0005870715.tif 000009
【図９】
0005870715.tif 000010
【図１０】
0005870715.tif 000011
【図１１】
0005870715.tif 000012
【図１２】
0005870715.tif 000013
【図１３】
0005870715.tif 000014
【図１４】
0005870715.tif 000015
【図１５】
0005870715.tif 000016
【図１６】
0005870715.tif 000017
【図１７】
0005870715.tif 000018
【図１８】
0005870715.tif 000019
【図１９】
0005870715.tif 000020
【図２０】
0005870715.tif 000021
【図２１】
0005870715.tif 000022
【図２２】
0005870715.tif 000023
【図２３】
0005870715.tif 000024
【図２４】
0005870715.tif 000025
【図２５】
0005870715.tif 000026
【図２６】
0005870715.tif 000027
【図２７】
0005870715.tif 000028
【図２８】
0005870715.tif 000029
【図２９】
0005870715.tif 000030
【図３０】
0005870715.tif 000031